(57)【要約】【課題】操作者と周囲の人の反応を反映させた画像データの分類を可能とすること。【解決手段】カメラ制御部２０は、画像データの表示中の、当該画像データの表示時間に関する表示情報と、複数人の当該画像データに対する関心度に関する関心度情報とを取得し、記録部１５によって、それら取得した表示情報及び関心度情報を、その表示中の画像データに関連付けて記録媒体に記録する。そして、その記録媒体に記録されている表示情報と関心度情報とに基づいて、記録媒体に記録されている画像データを分類する。【選択図】図１
2010187320.tif 000002
【特許請求の範囲】
【請求項１】
画像データの表示中の、当該画像データの表示時間に関する表示情報を取得する表示情報取得手段と、
前記画像データの表示中の、複数人の当該画像データに対する関心度に関する関心度情報を取得する関心度情報取得手段と、
前記表示情報取得手段で取得した表示情報及び前記関心度情報取得手段で取得した関心度情報を、前記表示中の画像データに関連付けて記録媒体に記録する記録手段と、
を具備することを特徴とする画像記録装置。
【請求項２】
前記関心度情報取得手段は、前記関心度情報として、周囲の複数人の会話に関する会話情報を取得することを特徴とする請求項１に記載の画像記録装置。
【請求項３】
前記会話情報は、会話量、声の大きさ、声のトーン、及び会話内容、の少なくとも一つに基づくことを特徴とする請求項２に記載の画像記録装置。
【請求項４】
前記関心度情報取得手段は、前記関心度情報として、周囲の複数人の視線に関する視線情報を取得することを特徴とする請求項１に記載の画像記録装置。
【請求項５】
請求項１に記載の画像記録装置によって記録媒体に記録された前記表示情報と前記関心度情報とに基づいて、前記記録媒体に記録されている画像データを分類する分類手段を具備することを特徴とする画像分類装置。
【請求項６】
前記表示情報及び前記関心度情報に基づく分類レベルを設定する分類レベル設定手段を更に具備することを特徴とする請求項５に記載の画像分類装置。
【請求項７】
記録媒体に記録されている複数の画像データを表示する表示手段と、
請求項５に記載の分類装置による分類結果に従って、前記記録媒体に記録されている複数の画像データの前記表示手段による表示方法を変更する表示方法変更手段と、
を具備することを特徴とする画像表示装置。
【請求項８】
前記分類結果と前記表示方法変更手段によって変更される表示方法との関係を設定する関係設定手段を更に具備することを特徴とする請求項７に記載の画像表示装置。
【請求項９】
前記表示手段は、前記記録媒体に記録されている複数の画像データの縮小画像を並べて一覧表示し、
前記表示方法変更手段は、前記記録媒体に記録されている複数の画像データの各縮小画像の、大きさ、明るさ、及び枠の種類、の少なくとも一つを、前記分類結果に従って変更することを特徴とする請求項７に記載の画像表示装置。
【請求項１０】
前記表示手段は、前記記録媒体に記録されている複数の画像データを時系列に切り替え表示し、
前記表示方法変更手段は、前記記録媒体に記録されている複数の画像データのそれぞれの表示時間を前記分類結果に従って変更することを特徴とする請求項７に記載の画像表示装置。
【請求項１１】
画像データの表示中の、当該画像データの表示時間に関する表示情報を取得する表示情報取得手段と、
前記画像データの表示中の、複数人の当該画像データに対する関心度に関する関心度情報を取得する関心度情報取得手段と、
前記表示情報取得手段で取得した表示情報及び前記関心度情報取得手段で取得した関心度情報を、前記表示中の画像データに関連付けて記録媒体に記録する記録手段と、
前記記録媒体に記録されている前記表示情報と前記関心度情報とに基づいて、前記記録媒体に記録されている画像データを分類する分類手段と、
を具備することを特徴とする画像分類装置。
【請求項１２】
画像データを表示中、当該画像データの表示時間に関する表示情報を取得する表示情報取得手段と、
画像データを表示中、複数人の当該画像データに対する関心度に関する関心度情報を取得する関心度情報取得手段と、
前記表示情報取得手段で取得した表示情報及び前記関心度情報取得手段で取得した関心度情報を、前記表示中の画像データに関連付けて記録媒体に記録する記録手段と、
前記記録媒体に記録されている前記表示情報と前記関心度情報とに基づいて、前記記録媒体に記録されている画像データを分類する分類手段と、
前記記録媒体に記録されている複数の画像データを表示する表示手段と、
前記分類手段による分類結果に従って、前記記録媒体に記録されている複数の画像データの前記表示手段による表示方法を変更する表示方法変更手段と、
を具備することを特徴とする画像表示装置。
【請求項１３】
コンピュータを、
画像データの表示中の、当該画像データの表示時間に関する表示情報を取得する表示情報取得手段、
前記画像データの表示中の、複数人の当該画像データに対する関心度に関する関心度情報を取得する関心度情報取得手段、
前記取得した表示情報及び関心度情報を、前記表示中の画像データに関連付けて記録媒体に記録する記録手段、
として機能させるためのプログラム。
【請求項１４】
コンピュータを、
画像データの表示中の、当該画像データの表示時間に関する表示情報を取得する表示情報取得手段、
前記画像データの表示中の、複数人の当該画像データに対する関心度に関する関心度情報を取得する関心度情報取得手段、
前記取得した表示情報及び関心度情報を、前記表示中の画像データに関連付けて記録媒体に記録する記録手段、
前記記録媒体に記録されている前記表示情報と前記関心度情報とに基づいて、前記記録媒体に記録されている画像データを分類する分類手段、
として機能させるためのプログラム。
【請求項１５】
コンピュータを、
画像データの表示中の、当該画像データの表示時間に関する表示情報を取得する表示情報取得手段、
前記画像データの表示中の、複数人の当該画像データに対する関心度に関する関心度情報を取得する関心度情報取得手段、
前記取得した表示情報及び関心度情報を、前記表示中の画像データに関連付けて記録媒体に記録する記録手段、
前記記録媒体に記録されている前記表示情報と前記関心度情報とに基づいて、前記記録媒体に記録されている画像データを分類する分類手段、
前記記録媒体に記録されている複数の画像データを表示する表示手段、
前記分類結果に従って、前記記録媒体に記録されている複数の画像データの表示方法を変更する表示方法変更手段、
として機能させるためのプログラム。
【発明の詳細な説明】
【技術分野】
【０００１】
本発明は、画像データを記録媒体に記録する画像記録装置、記録媒体に記録された画像データを分類する画像分類装置、及び、その分類結果に基づく画像データの表示を行う画像表示装置、並びに、コンピュータをそのような画像記録装置、画像分類装置又は画像表示装置として機能させるためのプログラムに関する。
【背景技術】
【０００２】
特許文献１には、複数の画像データの中から何れかの画像データを選択して表示するための画像観賞用ソフトウェアが提案されている。この提案は、多数の画像データを閲覧回数を基準にして、必要なものと不要なものとに自動的に分類することができるソフトウェアに関するものである。
【先行技術文献】
【特許文献】
【０００３】
【特許文献１】特開２００７−４２２２８号公報
【発明の概要】
【発明が解決しようとする課題】
【０００４】
上記特許文献１に開示の画像観賞用ソフトウェアは、画像データの分類には操作者の反応に関する情報しか反映されておらず、一緒に観賞している周りの人の反応に関する情報を反映できていない。これらを改善することで、さらに使い易い表示装置を実現できる余地が残されている。
【０００５】
本発明は、上記の点に鑑みてなされたもので、操作者だけでなく周囲の人の反応を反映させて画像データを分類できるような情報を画像データに関連付けて記録する画像記録装置、そのような情報を使って画像データを分類する画像分類装置、及び、その分類結果を用いることで周囲の人の反応を反映した複数の画像データの表示方法を変更することが可能な表示装置、並びに、コンピュータをそのような画像記録装置、画像分類装置又は画像表示装置として機能させるためのプログラムを提供することを目的とする。
【課題を解決するための手段】
【０００６】
本発明の画像記録装置の一態様は、
画像データの表示中の、当該画像データの表示時間に関する表示情報を取得する表示情報取得手段と、
上記画像データの表示中の、複数人の当該画像データに対する関心度に関する関心度情報を取得する関心度情報取得手段と、
上記表示情報取得手段で取得した表示情報及び上記関心度情報取得手段で取得した関心度情報を、上記表示中の画像データに関連付けて記録媒体に記録する記録手段と、
を具備することを特徴とする。
【０００７】
また、本発明の画像分類装置の一態様は、
画像データの表示中の、当該画像データの表示時間に関する表示情報を取得する表示情報取得手段と、
上記画像データの表示中の、複数人の当該画像データに対する関心度に関する関心度情報を取得する関心度情報取得手段と、
上記表示情報取得手段で取得した表示情報及び上記関心度情報取得手段で取得した関心度情報を、上記表示中の画像データに関連付けて記録媒体に記録する記録手段と、
上記記録媒体に記録されている上記表示情報と上記関心度情報とに基づいて、上記記録媒体に記録されている画像データを分類する分類手段と、
を具備することを特徴とする。
【０００８】
また、本発明の画像表示装置の一態様は、
画像データを表示中、当該画像データの表示時間に関する表示情報を取得する表示情報取得手段と、
画像データを表示中、複数人の当該画像データに対する関心度に関する関心度情報を取得する関心度情報取得手段と、
上記表示情報取得手段で取得した表示情報及び上記関心度情報取得手段で取得した関心度情報を、上記表示中の画像データに関連付けて記録媒体に記録する記録手段と、
上記記録媒体に記録されている上記表示情報と上記関心度情報とに基づいて、上記記録媒体に記録されている画像データを分類する分類手段と、
上記記録媒体に記録されている複数の画像データを表示する表示手段と、
上記分類手段による分類結果に従って、上記記録媒体に記録されている複数の画像データの上記表示手段による表示方法を変更する表示方法変更手段と、
を具備することを特徴とする。
【０００９】
一方、本発明のプログラムの一態様は、
コンピュータを、
画像データの表示中の、当該画像データの表示時間に関する表示情報を取得する表示情報取得手段、
上記画像データの表示中の、複数人の当該画像データに対する関心度に関する関心度情報を取得する関心度情報取得手段、
上記取得した表示情報及び関心度情報を、上記表示中の画像データに関連付けて記録媒体に記録する記録手段、
として機能させる。
【００１０】
また、本発明のプログラムの別の態様は、
コンピュータを、
画像データの表示中の、当該画像データの表示時間に関する表示情報を取得する表示情報取得手段、
上記画像データの表示中の、複数人の当該画像データに対する関心度に関する関心度情報を取得する関心度情報取得手段、
上記取得した表示情報及び関心度情報を、上記表示中の画像データに関連付けて記録媒体に記録する記録手段、
上記記録媒体に記録されている上記表示情報と上記関心度情報とに基づいて、上記記録媒体に記録されている画像データを分類する分類手段、
として機能させる。
【００１１】
また、本発明のプログラムの更に別の態様は、
コンピュータを、
画像データの表示中の、当該画像データの表示時間に関する表示情報を取得する表示情報取得手段、
上記画像データの表示中の、複数人の当該画像データに対する関心度に関する関心度情報を取得する関心度情報取得手段、
上記取得した表示情報及び関心度情報を、上記表示中の画像データに関連付けて記録媒体に記録する記録手段、
上記記録媒体に記録されている上記表示情報と上記関心度情報とに基づいて、上記記録媒体に記録されている画像データを分類する分類手段、
上記記録媒体に記録されている複数の画像データを表示する表示手段、
上記分類結果に従って、上記記録媒体に記録されている複数の画像データの表示方法を変更する表示方法変更手段、
として機能させる。
【発明の効果】
【００１２】
本発明によれば、画像データの表示中に、当該画像データの表示時間に関する情報と複数人の当該画像データに対する関心度に関する情報とを取得して記録媒体に記録するので、操作者だけでなく周囲の人の反応を反映させて画像データを分類できるような情報を画像データに関連付けて記録することが可能な画像記録装置を提供することができ、また、そのような情報に基づいて画像データを分類することで、操作者以外の周りの人の反応を反映させて画像データを分類可能となる画像分類装置を提供でき、更には、そうして分類された結果を用いることで複数の画像データの表示方法を周囲の人の反応を反映したものに変更することが可能となる画像表示装置を提供できる。
【００１３】
また、コンピュータをそのような画像記録装置、画像分類装置又は画像表示装置として機能させるためのプログラムを提供できる。
【図面の簡単な説明】
【００１４】
【図１】図１は、本発明の第１実施形態を適用したデジタルカメラの構成を示す図である。
【図２】図２（Ａ）は、表示情報と関心度情報を画像データに関連付けて記録媒体に記録する方法を説明するための記録構造を示す図であり、図２（Ｂ）は、表示情報と関心度情報を画像データに関連付けて記録媒体に記録する別の方法を説明するための記録構造を示す図である。
【図３】図３は、表示情報取得処理を説明するためのフローチャートを示す図である。
【図４】図４は、関心度情報取得処理を説明するためのフローチャートを示す図である。
【図５】図５は、画像再生処理を説明するためのフローチャートを示す図である。
【図６】図６（Ａ）は、閲覧時間と会話量に基づく分類レベルの設定と、分類結果に従った表示方法の変更とを説明するための図であり、図６（Ｂ）は、分類結果に従った表示方法の変更例を示す図である。
【図７】図７（Ａ）は、閲覧時間と会話量に基づく分類レベルの設定と、分類結果に従った表示方法の変更との別の例を説明するための図であり、図７（Ｂ）は、閲覧時間と会話量に基づく分類レベルの設定と、分類結果に従った表示方法の変更との更に別の例を説明するための図である。
【図８】図８は、本発明の第２実施形態における関心度情報取得処理を説明するためのフローチャートを示す図である。
【図９】図９は、本発明の第３実施形態における画像再生処理を説明するためのフローチャートを示す図である。
【発明を実施するための形態】
【００１５】
以下、本発明を実施するための形態を図面を参照して説明する。
【００１６】
［第１実施形態］
図１に示すように、本発明の第１実施形態を適用したデジタルカメラは、レンズ１０、ＣＣＤエリアセンサ１１、プリプロセス回路１２、Ａ／Ｄ変換回路１３、画像信号処理部１４、記録部１５、表示制御部１６、表示部１７、音入力部１８、操作部１９、及びカメラ制御部２０から構成される。
【００１７】
ここで、操作部１９は、特に図示はしていないが、電源スイッチに加え、ズーム釦やシャッタ釦等の撮影に関する操作部材と、メニュー釦やカーソル移動釦等の各種設定を行うための操作部材と、撮影や再生といった動作モードを指示するためのモード釦を備えている。勿論、モード釦は、メニュー釦の操作に応じたメニューの中から切り替えるものとして、独立の操作釦として設けない場合もある。
【００１８】
操作部１９の電源スイッチのオン操作に応じて、カメラ制御部２０は、該デジタルカメラの各部の動作を開始させる。
【００１９】
レンズ１０は、被写体からの光を結像するための撮影レンズであり、カメラ制御部２０は、このレンズ１０の合焦動作やズーム動作を制御する。レンズ１０から入射された光像は、図示しない色フィルタを介して、ＣＣＤエリアセンサ１１に結像される。ＣＣＤエリアセンサ１１から出力された画像信号は、アナログ回路で構成されるプリプロセス回路１２で増幅、波形整形、ノイズ除去等の所定の処理が行われた後、Ａ／Ｄ変換回路１３でデジタルデータ化される。このデジタルデータ化された画像データは、画像信号処理部１４で種々の画像処理が行われる。
【００２０】
この画像処理された画像データは、表示制御部１６によって、カメラの背面に配された液晶ディスプレイ等の表示部１７の解像度に合わせた低解像度の画像データに変換されて、表示部１７に表示されることで、所謂ライブビュー表示がなされる。また、上記デジタルデータ化された画像データを用いて、カメラ制御部２０により合焦動作の制御が行われる。
【００２１】
操作部１９のシャッタ釦が操作されると、カメラ制御部２０は、記録部１５を制御して、画像信号処理部１４によって画像処理された画像データを画像ファイルとして記録媒体に記録させる。この記録媒体は、当該デジタルカメラに内蔵固定されたものであっても良いし、当該デジタルカメラに対して着脱自在なものであっても構わない。
【００２２】
また、操作部１９の操作により再生モードが指定されると、カメラ制御部２０は、記録部１５を制御して、記録媒体に記録されている画像ファイルを読み出させ、画像データを表示制御部１６を介して表示部１７に再生表示させる。なお、当該デジタルカメラが備える表示部１７に表示するだけでなく、当該デジタルカメラをモニタ装置等の外部表示装置に接続し、表示制御部１６からその外部表示装置に画像データを出力して表示させることも可能である。
【００２３】
この再生表示時、カメラ制御部２０は、その画像データを表示している時間つまり画像データの観賞時間を計時し、その結果を表示情報として、記録部１５によって当該画像データの画像ファイルに関連付けて記録媒体に記録させる。即ち、カメラ制御部２０は、画像データの表示時間に関する表示情報を取得する表示情報取得手段として機能し、記録部１５は、取得した表示情報を表示中の画像データに関連付けて記録媒体に記録する記録手段として機能する。
【００２４】
更に、カメラ制御部２０は、上記再生表示時、マイクロフォンやＡ／Ｄ変換回路等からなる音入力部１８によって入力された音から、詳細は後述するような画像を観賞している周囲の複数人の会話に関する会話情報を取得し、それを記録部１５によって当該画像データの画像ファイルに関連付けて記録媒体に記録させる。即ち、カメラ制御部２０は、複数人の画像データに対する関心度に関する関心度情報を取得する関心度情報取得手段として機能し、記録部１５は、取得した関心度情報を表示中の画像データに関連付けて記録媒体に記録する記録手段として機能する。
【００２５】
このように、記録部１５、音入力部１８及びカメラ制御部２０によって、本発明の第１実施形態に係る画像記録装置が構成される。
【００２６】
また、カメラ制御部２０は、上記記録媒体に記録された表示情報と関心度情報とに基づいて、詳細は後述するようにして、記録媒体に記録されている画像データを分類する。即ち、カメラ制御部２０は、分類手段として機能する。このように、記録部１５、音入力部１８及びカメラ制御部２０によって、本発明の第１実施形態に係る画像分類装置が構成される。
【００２７】
また、カメラ制御部２０は、操作部１９の操作により、記録媒体に記録されている複数の画像データを表示するモードが指定されると、上記分類結果に従って、それら複数の画像データの表示方法を変更するよう表示制御部１６を制御して、表示部１７に表示させる。即ち、表示制御部１６及び表示部１７は、記録媒体に記録されている複数の画像データを表示する表示手段として機能し、カメラ制御部２０は、分類結果に従って記録媒体に記録されている複数の画像データの表示方法を変更する表示方法変更手段として機能する。このように、記録部１５、表示制御部１６、表示部１７、音入力部１８及びカメラ制御部２０によって、本発明の第１実施形態に係る画像分類装置が構成される。
【００２８】
なお、記録部１５による上記表示情報及び関心度情報の表示中の画像データに関連付けた記録媒体への記録の手法としては、図２（Ａ）に示すように、記録媒体１５１に各画像ファイル１５２とは別に情報テーブル１５３として表示情報と関心度情報とを記録する方法が考えられる。この場合、画像ファイル１５２を構成するヘッダ１５４に記録されたファイルＩＤにより関連付けることができる。
【００２９】
あるいは、図２（Ｂ）に示すように、画像ファイル１５２のヘッダ１５４に表示情報と関心度情報とを記録するようにしても構わない。更には、特に図示はしていないが、電子透かしのような手法で、画像データ１５５の中に埋め込むことも可能である。
【００３０】
次に、上記表示情報の記録動作について説明する。操作部１９の操作により再生モードが指定されると、カメラ制御部２０は、図３に示すような表示情報取得処理を実施する。
【００３１】
即ち、まず、記録部１５を制御して、記録媒体１５１から再生を指示された一つの画像ファイル１５２を読み出させ、その画像データ１５５を表示制御部１６を介して表示部１７に再生表示させる（ステップＳ１１）。そして、その再生表示を開始してからの経過時間（画像切替時間）を、図示しない内蔵タイマによって計測する（ステップＳ１２）。この再生表示並びに画像切替時間計測は、操作部１９の操作により当該画像ファイル１５２の再生終了または別の画像ファイルの再生指示がなされるまで継続する（ステップＳ１３）。そして、当該画像ファイル１５２の再生表示が終了したならば、画像切替時間の計測結果を表示情報として取得して、記録部１５によって記録媒体１５１に当該画像ファイル１５２に関連付けて記録させる（ステップＳ１４）。
【００３２】
次に、上記関心度情報の記録動作について説明する。ここでは、関心度情報である会話情報は、画像を観賞している周囲の複数人の会話量とする。これは、多くの場合、会話量は表示されている画像データに対する関心度に比例すると考えられるからである。
【００３３】
操作部１９の操作により再生モードが指定されると、カメラ制御部２０は、図４に示すような関心度情報取得処理を実施する。即ち、まず、記録部１５を制御して、記録媒体１５１から再生を指示された画像ファイル１５２を読み出させ、その画像データ１５５を表示制御部１６を介して表示部１７に再生表示させる（ステップＳ２１）。そして、その再生表示を開始してからの会話を音入力部１８から取得し（ステップＳ２２）、会話量を計測する（ステップＳ２３）。即ち、音声をテキストに変換し、文字数をカウントすることで会話量を計測する。この再生表示並びに会話量計測は、操作部１９の操作により当該画像ファイル１５２の再生終了または別の画像ファイルの再生指示がなされるまで継続する（ステップＳ２４）。そして、当該画像ファイル１５２の再生表示が終了したならば、会話量の計測結果を関心度情報として取得して、記録部１５によって記録媒体１５１に当該画像ファイル１５２に関連付けて記録させる（ステップＳ２５）。
【００３４】
なお、表示情報取得処理と関心度情報取得処理とを別々に説明したが、カメラ制御部２０は、表示情報の取得と関心度情報の取得は同時に行うことができることは言うまでもない。
【００３５】
次に、上記記録媒体１５１に記録された表示情報と関心度情報とに基づく画像データの分類処理及びその分類結果に従った複数の画像データの表示方法の変更処理について説明する。ここでは、記録媒体１５１に記録された複数の画像データの表示方法として、記録媒体１５１に記録されている複数の画像データの縮小画像を並べて一覧表示するサムネイル表示を例に説明する。
【００３６】
操作部１９の操作によりサムネイル表示が指定されると、カメラ制御部２０は、図５に示すような画像再生処理を実施する。即ち、まず、記録部１５により記録媒体１５１に記録されている一つの画像ファイル１５２に関し、表示情報が取得済みか否か、つまり当該画像ファイル１５２の画像データ１５５に関連付けて記録された表示情報があるか否かを判断する（ステップＳ３１）。ここで、表示情報が取得済みであれば、当該画像ファイル１５２に関し、更に、関心度情報が取得済みか否か、つまり当該画像ファイル１５２の画像データ１５５に関連付けて記録された関心度情報があるか否かを判断する（ステップＳ３２）。
【００３７】
そして、上記表示情報及び上記関心度情報の何れも取得済みであれば、それらの情報に基づいて当該画像ファイル１５２の画像データ１５５を分類し、その分類結果を図示しない内部メモリに記憶する又は記録媒体１５１に記録する（ステップＳ３３）。この分類は、図６（Ａ）に示すような表示情報（表示時間）と関心度情報（会話量）の関係に基づいて、例えばそれぞれの閾値Ｔｈ１，Ｔｈ２により４種類の分類レベルＬ１〜Ｌ４に分類する。
【００３８】
また、上記表示情報及び上記関心度情報の何れかが取得されていない場合には、当該画像ファイル１５２の画像データ１５５をデフォルトの分類レベルに分類し、その分類結果を図示しない内部メモリに記憶する又は記録媒体１５１に記録する（ステップＳ３４）。
【００３９】
そして、それら記憶又は記録された分類レベルに従って、表示制御部１６が生成する当該画像ファイル１５２の画像データ１５５の縮小画像の表示方法、ここでは縮小画像の大きさを変更して（ステップＳ３５）、表示部１７にその縮小画像を表示させる（ステップＳ３６）。
【００４０】
このような画像再生処理を、表示部１７に一覧表示可能な個数の画像ファイルに対して実施することで、図６（Ｂ）に示すように、大きさが変更された縮小画像が一覧表示される。
【００４１】
この場合、縮小画像の大きさは、図６（Ａ）に示すように、表示時間が長く会話量が多い画像データ（分類レベルＬ４）のサイズを大きくし、表示時間が短く会話量が少ない画像分類レベルＬ１）のサイズを小さくする例である。
【００４２】
表示時間と会話量から、どのように分類するか、及びどのように縮小画像の大きさを変更するかは、操作者が操作部１９の操作により、例えば図７（Ａ）及び（Ｂ）に示すように、自由に決定することができる。即ち、操作部１９及びカメラ制御部２０は、表示情報及び関心度情報に基づく分類レベルを設定する分類レベル設定手段として機能すると共に、分類結果と変更される表示方法との関係を設定する関係設定手段として機能する。また、デフォルトの分類レベルをどのようにするかも、操作者が任意に設定できるものとする。これらの設定は、カメラ制御部２０の図示しない内部メモリに記憶されて利用される。これにより、操作者の好みや見易いと感じる形態に合わせて分類、表示を行うことが可能となる。
【００４３】
以上のように、本第１実施形態によれば、画像データの表示中に、当該画像データの表示時間に関する情報と、操作者とその周囲の鑑賞者を含む複数人の当該画像データに対する関心度に関する情報である会話情報としての会話量を取得して記録媒体１５１に記録するので、操作者だけでなく周囲の人の反応を反映させて画像データを分類できるような情報を画像データに関連付けて記録することが可能な画像記録装置を提供することができる。
【００４４】
また、そのような情報に基づいて画像データを分類することで、操作者以外の周りの人の反応を反映させて画像データを分類可能となる画像分類装置を提供できる。
【００４５】
更には、そうして分類された結果を用いることで複数の画像データをサムネイル表示する場合の各縮小画像の大きさを周囲の人の反応つまり興味を反映したものに変更することが可能となる画像表示装置を提供できる。
【００４６】
なお、図５に示した画像再生処理では、表示情報と関心度情報の両方を取得している場合の縮小画像の大きさを変更する例を示したが、表示情報と関心度情報のどちらか一方の情報を取得している場合においても、画像の大きさを変更して表示するようにしても構わない。
【００４７】
また、分類に従った表示方法の変更として縮小画像の大きさを例に説明したが、大きさではなく、明るさを変更したり、太さや色の異なる枠を付加する等、どのようなものであっても構わない。勿論、それら大きさ、太さ、枠の種類を任意に組み合わせても良い。このように、分類レベルの差異を識別可能な識別表示を行うことで、操作者を含めた複数人の各画像データに対する反応を識別可能に提示することが可能となる。
【００４８】
また、関心度情報である会話情報として会話量を例に説明したが、会話時の声の大きさ（関心度が高いほど大きな声になる）や声のトーン（関心度が高いほど声のトーンが高くなる）を数値化して会話情報としても良い。更には、テキスト化した会話の内容をマッチングテーブル等により弁別して、例えば「良い」等はプラス点数を、「ピントが合っていない」等はマイナス点数を加算するというよう手法で採点を行い、その採点結果を会話情報とすることもできる。勿論、それら会話量、声の大きさ、声のトーン、会話内容を任意に組み合わせても良い。このように、会話情報を関心度情報とすることで、操作者を含めた複数人の各画像データに対する反応を反映した分類が可能となる。また、音として入力された会話それ自体を記録するのではなく会話量という数値化して記録するので記録容量は少なくて済む。
【００４９】
［第２実施形態］
上記第１実施形態では、関心度情報として周囲の複数人の会話に関する会話情報を取得する例を説明したが、関心度情報はそのような会話情報に限定されるものではない。
【００５０】
例えば、特開２００４−２１３４８６号公報に開示されているような視線検出手法を用いることで、周囲の複数人の視線に関する視線情報を関心度情報として取得することができる。
【００５１】
この場合には、操作部１９の操作により再生モードが指定された際の関心度情報取得処理は、図８に示すようになる。
【００５２】
即ち、カメラ制御部２０は、まず、記録部１５を制御して、記録媒体１５１から再生を指示された画像ファイル１５２を読み出させ、その画像データ１５５を表示制御部１６を介して不図示の外部表示装置に再生させる（ステップＳ２１）。これは、撮像した画像データから視線検出を行うため、表示部１７が配されたデジタルカメラの裏面側を操作者を含めた複数の人の側に向けることができないからである。
【００５３】
そして、外部表示装置に表示された画像データを閲覧している複数人の視線を、画像信号処理部１４からの画像データより検出して（ステップＳ２６）、各人の注視時間の累計を計測する（ステップＳ２７）。これは、注視している時間は表示されている画像データに対する関心度に比例すると考えられるからである。よって、本実施形態では、デジタルカメラを、操作者を含めた複数の人を視野に含めた状態で、且つ、外部表示装置の表示面近傍に配置することが必要である。
【００５４】
上記再生表示並びに注視時間計測は、操作部１９の操作により当該画像ファイル１５２の再生終了または別の画像ファイルの再生指示がなされるまで継続する（ステップＳ２４）。そして、当該画像ファイル１５２の再生表示が終了したならば、注視時間の計測結果を関心度情報として取得して、記録部１５によって記録媒体１５１に当該画像ファイル１５２に関連付けて記録させる（ステップＳ２８）。
【００５５】
それ以外は、上記第１実施形態と同様であるので、その説明は省略する。
【００５６】
以上のように、本第２実施形態によれば、画像データの表示中に、当該画像データの表示時間に関する情報と、操作者とその周囲の鑑賞者を含む複数人の当該画像データに対する関心度に関する情報である視線情報としての注視時間を取得して記録媒体１５１に記録するので、操作者だけでなく周囲の人の反応を反映させて画像データを分類できるような情報を画像データに関連付けて記録することが可能な画像記録装置を提供することができる。
【００５７】
また、そのような情報に基づいて画像データを分類することで、操作者以外の周りの人の反応を反映させて画像データを分類可能となる画像分類装置を提供できる。
【００５８】
更には、そうして分類された結果を用いることで複数の画像データをサムネイル表示する場合の各縮小画像の大きさを周囲の人の反応つまり興味を反映したものに変更することが可能となる画像表示装置を提供できる。この場合の表示は、デジタルカメラの表示部１７、外部表示装置の何れで行うものでも良い。
【００５９】
なお、上記第１実施形態で説明したような会話情報と組み合わせても構わない。この場合、表示情報と視線情報と会話情報の３軸の座標により分類を行っても良いし、視線情報と会話情報とを加算或いは重み付け加算して表示情報との２軸の座標により分類を行うようにすることも考えられる。
【００６０】
［第３実施形態］
上記第１及び第２実施形態では、記録媒体１５１に記録された複数の画像データの表示方法として、記録媒体１５１に記録されている複数の画像データの縮小画像を並べて一覧表示するサムネイル表示を例に説明したが、表示方法はそのようなサムネイル表示に限定されるものではない。
【００６１】
例えば、そのような表示法として、記録媒体に記録されている複数の画像データを時系列に切り替え表示するスライドショー表示が知られている。
【００６２】
操作部１９の操作によりスライドショー表示が指定されると、カメラ制御部２０は、図９に示すような画像再生処理を実施する。
【００６３】
即ち、まず、記録部１５により記録媒体１５１に記録されている一つの画像ファイル１５２に関し、表示情報が取得済みか否か、つまり当該画像ファイル１５２の画像データ１５５に関連付けて記録された表示情報があるか否かを判断する（ステップＳ３１）。ここで、表示情報が取得済みであれば、当該画像ファイル１５２に関し、更に、関心度情報が取得済みか否か、つまり当該画像ファイル１５２の画像データ１５５に関連付けて記録された関心度情報があるか否かを判断する（ステップＳ３２）。
【００６４】
そして、上記表示情報及び上記関心度情報の何れも取得済みであれば、それらの情報に基づいて当該画像ファイル１５２の画像データ１５５を分類し、その分類結果を図示しない内部メモリに記憶する又は記録媒体１５１に記録する（ステップＳ３３）。また、上記表示情報及び上記関心度情報の何れかが取得されていない場合には、当該画像ファイル１５２の画像データ１５５をデフォルトの分類レベルに分類し、その分類結果を図示しない内部メモリに記憶する又は記録媒体１５１に記録する（ステップＳ３４）。
【００６５】
そして、それら記憶又は記録された分類レベルに従って、表示制御部１６が生成する当該画像ファイル１５２の画像データ１５５の表示方法、ここでは画像データの表示時間を変更して（ステップＳ３７）、表示部１７又は外部表示装置にその解像度に合わせた画像データを表示させる（ステップＳ３８）。その後、上記変更した表示時間が経過するまでその画像データを表示する（ステップＳ３９）。
【００６６】
このような画像再生処理を、記録媒体１５１に記録された複数の画像ファイル１５２に対し順番に実施することで、スライドショー表示が行われる。
【００６７】
それ以外は、上記第１実施形態と同様であるので、その説明は省略する。
【００６８】
以上のように、本第３実施形態によれば、画像データの表示中に、当該画像データの表示時間に関する情報と、操作者とその周囲の鑑賞者を含む複数人の当該画像データに対する関心度に関する情報を取得して記録媒体１５１に記録するので、操作者だけでなく周囲の人の反応を反映させて画像データを分類できるような情報を画像データに関連付けて記録することが可能な画像記録装置を提供することができる。
【００６９】
また、そのような情報に基づいて画像データを分類することで、操作者以外の周りの人の反応を反映させて画像データを分類可能となる画像分類装置を提供できる。
【００７０】
更には、そうして分類された結果を用いることで複数の画像データをスライドショー表示する場合の各画像データの表示時間を周囲の人の反応つまり興味を反映したものに変更することが可能となる画像表示装置を提供できる。
【００７１】
なお、図９に示した画像再生処理では、表示情報と関心度情報の両方を取得している場合の表示時間を変更する例を示したが、表示情報と関心度情報のどちらか一方の情報を取得している場合においても、画像データの表示時間を変更して表示するようにしても構わない。
【００７２】
また、スライドショー表示中にも、関心度情報取得処理を実施することで、関心度情報を更新するようにしても良い。
【００７３】
以上実施形態に基づいて本発明を説明したが、本発明は上述した実施形態に限定されるものではなく、本発明の要旨の範囲内で種々の変形や応用が可能なことは勿論である。
【００７４】
例えば、上記実施形態は、デジタルカメラに搭載した場合を例に説明したが、画像データと表示情報及び関心度情報とを記録媒体へ記録する画像記録装置、そのような情報が記録された記録媒体から情報を読み出して画像データを分類し、その分類結果を記録媒体に追記する画像分類装置、記録媒体から分類結果を読み出しそれに基づいて画像データの表示方法を変更して表示する画像表示装置として、それぞれ独立に構成することも可能である。
【００７５】
また、それら画像記録装置、画像分類装置、画像表示装置の機能を実現するソフトウェアのプログラムをコンピュータに供給し、当該コンピュータがこのプログラムを実行することによって、上記機能を実現することも可能である。
【符号の説明】
【００７６】
１０…レンズ、  １１…ＣＣＤエリアセンサ、  １２…プリプロセス回路、  １３…Ａ／Ｄ変換回路、  １４…画像信号処理部、  １５…記録部、  １６…表示制御部、  １７…表示部、  １８…音入力部、  １９…操作部、  ２０…カメラ制御部、  １５１…記録媒体、  １５２…画像ファイル、  １５３…情報テーブル、  １５４…ヘッダ、  １５５…画像データ。
【図１】
2010187320.tif 000003
【図２】
2010187320.tif 000004
【図３】
2010187320.tif 000005
【図４】
2010187320.tif 000006
【図５】
2010187320.tif 000007
【図６】
2010187320.tif 000008
【図７】
2010187320.tif 000009
【図８】
2010187320.tif 000010
【図９】
2010187320.tif 000011